Podtech/llm-jp-corpus-v4-ja_patent huggingface dataset:
(57)【要約】【課題】擔架の上に載せて固定する丈で人の移載ができる。【解決手段】全体の枠を三分割して支柱を取付けスライドレールを取付けて全体が撓らずに人を移載出来る為、隣のベッドに乗せる間の隙間も安心して移載出来る。【選択図】図１
2006149516.tif 000002
【特許請求の範囲】
【請求項１】
ストレッチャーの上の擔架の上に取付けられた移載ベッドで、患者の重みで移載ベッドが撓が出ないように枠の中に三分割して支柱を取り付け、それにスライドレールを取り付け、三分割したベルトを１本の駆動シャフトで患者を移し変える装置で、ベッド本体を前進後退させたりベルトを前送り後送りをモーターで駆動するようにしペンダントスイッチに依り作動させるようにした装置。尚、上下二段のベルトにより人とベッドの間にもぐり易くする為に使用していたが二枚のベルトの間に布等が挟まれることがあった為、ベルトとは一段式にして下部にガイドローラーを取付けてベッドとの間隔をなくした装置。
【発明の詳細な説明】
【技術分野】
【０００１】
本発明はストレッチャー上の患者を隣の手術台等に移し変える
【背景技術】
【０００２】
従来の移載台車はストレッチャーと一体のもので高価なものであったが、今回の物は擔架に乗せる丈の安価なもので出来る利点が多い。
【発明の開示】
【発明が解決しようとする課題】
【０００３】
ベルトの前送り後送り及び前進後退は手動であった為、操作性が悪かった為、電動式にしてボタン操作により楽にした。
【課題を解決するための手段】
【０００４】
従来の擔架の上に此の装置を乗せて固定する丈でベルト１８を廻すのは両端で支える丈では撓が出て人を乗せるのは困難な為、三分割の中２ヶ所に支柱２０のようにして一対の耐荷重８０ｋｇ以上のスライドレール１７を設置してベルト１８の中央が撓らないようにした。
【発明の効果】
【０００５】
既設の擔架に取付ける丈で利用できる為、安價に出来上がり新しくストレッチャーを購入する必要がない。
【発明を実施するための最良の形態】
【０００６】
本発明の移載ベルトは図１に示されるように患者をストレッチャーから隣の診台に移し変える簡単な装置である。
【０００７】
本発明の移載擔架１２は図１に示されるように、人体１が擔架１２の上に居る移載装置フレーム８の中にセットされたものの上に居るようにしたものである。フレーム８の中には三分割した所に支柱２０をセットし、その横にスライドレール１７を設置しチェーン１６により前後に運ばれるようになっているチェーン１６はモーター１５により廻される。ベルト１８はモーター１０でで減速装置９を介して１本シャフト６によりプーリー５を廻し張りボルト１４により先端ローラー１３を廻して患者を移動さすものである。
【０００８】
ベルト１８を三分割して支持枠２０を入れスライドレール１７により保持した受擔架１２の上に乗せて取付ける丈で重い人の移載が出来るようにした。
【０００９】
ストレッチャー本体２１は車輪７により移動し上下用モーター１１により上下フレーム２が上下する。手術台３に対し上下モーター１１により高さ調整を行う。ストレッチャー２の上には擔架１２が乗りその上に移載台車８が乗って居る。
【００１０】
ベルト１８は下面が移載台車８と寝台台車３に接觸するようにプーリー１９を設けた。
【実施例１】
【００１１】
３枚のベルトを１本のシャフトで駆動するようにした。
【図面の簡単な説明】
【００１２】
【図１】本発明の一実施例を示す頭の方向から見た図
【図２】全体を側面より見た外観図
【図３】支柱部を原寸大で書いた図
【符号の説明】
【００１３】
１  患者
２  ストレッチャーベッド
３  移し変える台手術台等
４  ストレッチャーに取り付いた倒れ止め
５  ベルト１８の駆動プーリー
６  駆動プーリーの駆動シャフト
７  ストレッチャーの車輪
８  全体枠
９  ベルト駆動用のギヤーボックス
１０  同上モーター
１１  ストレッチャーの上下用モーター
１２  擔架
１３  ベルトの先端のローラー
１４  ベルトの張りを付ける為の押ボルト
１５  スライドレールを移動さす為のチェーンを廻すモーター
１６  スライドレールを移動さす為のチェーン
１７  ベルトが移載台に乗って動く為のスライドレール
１８  ベルト
１９  下部ローラー
２０  枠内に取付けられた支柱
２１  ストレッチャー本体
２２  バッテリー
２３  前送りスイッチボタン
２４  後送りスイッチボタン
２５  台車前進ペンダントスイッチボタン
２６  台車後退ペンダントスイッチボタン
２７  ベッド上昇ペンダントスイッチボタン
２８  ベッド下降ペンダントスイッチボタン
【図１】
2006149516.tif 000003
【図２】
2006149516.tif 000004
【図３】
2006149516.tif 000005
(57)【要約】【課題】  モニターを左右方向に回転させても、モニターがキッチンカウンター上の載置物にぶつかるのを防止でき、使い勝手のよいキッチン用モニターを提供することにある。【解決手段】  モニター２と、モニター２が載置され、モニター２を左右に回転させる回転手段３を有する基台４とを備えたキッチン用モニター１であって、キッチン用モニター１を上面視したとき、モニター２の回転領域が、基台４の外郭よりも内側にあるようにする。【選択図】図１
2006149800.tif 000002
【特許請求の範囲】
【請求項１】
モニターと、
モニターが載置され、モニターを左右に回転させる回転手段を有する基台と、
を備えたキッチン用モニターであって、
該キッチン用モニターを上面視したとき、モニターの回転領域が、基台の外郭よりも内側にあることを特徴とするキッチン用モニター。
【発明の詳細な説明】
【技術分野】
【０００１】
本発明は、キッチン用情報端末等に使用されるキッチン用モニターに関するものである。
【背景技術】
【０００２】
従来より、料理レシピ等の情報やテレビ等の映像を、キッチンにおいて提供することができるキッチン用情報端末が知られている（例えば、特許文献１）。
【０００３】
このようなキッチン用情報端末からの情報を表示するために用いられるキッチン用モニターは、キッチンカウンター上に設置され、使用者が料理等の作業を行いながらモニター画面を見ることができるようにしている。そのため、使用者の作業位置に合わせてモニターを左右に回転させることができるようになっている。
【特許文献１】特開２００２−２１５８８６号公報
【発明の開示】
【発明が解決しようとする課題】
【０００４】
しかしながら、従来のキッチン用モニターにおいては、モニターの回転領域内に調理器具や食器等を置いていると、モニターを左右に回転させる際にモニターにぶつかって倒れたり、破損してしまうおそれがあった。
【０００５】
本発明は、かかる事由に鑑みてなしたもので、その目的とするところは、モニターを左右に回転させても、モニターがキッチンカウンター上の載置物にぶつかるのを防止でき、使い勝手のよいキッチン用モニターを提供することにある。
【課題を解決するための手段】
【０００６】
上記課題を解決するために、本発明では、モニターと、モニターが載置され、モニターを左右に回転させる回転手段を有する基台とを備えたキッチン用モニターであって、該キッチン用モニターを上面視したとき、モニターの回転領域が、基台の外郭よりも内側にあるようにする。
【発明の効果】
【０００７】
上記本発明のキッチン用モニターにおいては、使用者が基台の大きさによってモニターの回転領域を知ることができるので、モニターの回転領域内に物を置いてしまうのを防止でき、その結果、モニターを左右に回転させても、モニターがキッチンカウンター上の載置物にぶつかるのを防止できて使い勝手がよい。
【発明を実施するための最良の形態】
【０００８】
本発明の実施形態におけるキッチン用モニター１について、図１〜３に基づいて説明する。
【０００９】
本実施形態におけるキッチン用モニター１は、図１、２に示すように、キッチンキャビネット１０のキッチンカウンター１１上に載置されるものであり、モニター２と、モニター２が載置され、モニター２を左右に回転させる回転手段３を有する基台４とを備えている。
【００１０】
上記キッチン用モニター１は、ＣＰＵを搭載したキッチン情報端末（図示せず）と接続されて、例えば、料理レシピやスケジュール等の情報を表示したり、テレビやＤＶＤ等の映像やラジオ、ＣＤ、音声伝言メモ等の音声を出力することができるようになっている。あるいは、インターネット閲覧画面や電話用端末としても利用することができる。さらには、インターホン、電気錠制御、侵入警報、火災報知等のセキュリティ端末としても利用することができる。
【００１１】
本実施形態においては、回転手段３として円柱上のアーム５を用いており、このアーム５によりモニタ２を支持するとともに、アーム５の下部が左右方向に回転可能に基台４に枢支されている。これにより、使用者の作業位置に合わせてモニタ２を左右方向に回転させることができる。
【００１２】
ここで、図３に示すように、基台４は、上面視したときの外郭形状が円形であり、モニター２を回転手段３によって回転させたときの回転領域よりも、基台４の外郭形状の方が大きくなるようにしている。
【００１３】
これにより、モニタ２を左右方向に回転させても、モニタ２が基台４よりも外側にはみ出して移動することがなく、その結果、キッチンカウンター１１上において、基台４の外側に物を置いていたとしても、モニタ２がぶつかってしまうことを防止することができるのである。
【００１４】
なお、本実施形態においては、基台４の上面を水平面としているが、例えば、円錐形状等の斜面や曲面としておくことにより、使用者が基台４上に物を置くことを防止することができる。
【００１５】
以上のように、本実施形態におけるキッチン用モニター１は、使用者が基台４の大きさによってモニター２の回転領域を知ることができるので、モニター２の回転領域内に物を置いてしまうのを防止でき、その結果、モニター２を左右に回転させても、モニター２がキッチンカウンター１１上の載置物にぶつかるのを防止できて使い勝手がよい。
【図面の簡単な説明】
【００１６】
【図１】本発明の実施形態におけるキッチン用モニター１を説明する正面図である。
【図２】同実施形態におけるキッチン用モニター１を説明する側面図である。
【図３】同実施形態におけるキッチン用モニター１を説明する上面図である。
【符号の説明】
【００１７】
１  キッチン用モニター
２  モニター
３  回転手段
４  基台
１０  キッチンキャビネット
１１  キッチンカウンター
【図１】
2006149800.tif 000003
【図２】
2006149800.tif 000004
【図３】
2006149800.tif 000005
(57)【要約】【課題】米・野菜・麺類・魚等食材の洗浄後この容器のまま水切りが可能。【解決手段】水切りボウル本体１のボウル底部２の高台で囲まれた内側部分にザル部２を設け高台４の床面と接する部分に床面とボウル本体の重さで密着するような耐水性で適度の硬さの５を施す。床面が蓋の効果をすることで水切りボウル本体１内に水を溜めそれぞれの食品を洗浄可能となる。洗浄後水切りボウル本体１を床面より持ち上げるとボウル底部２ザル部３より排水され水切りを完了する。【選択図】図１
2006149743.tif 000002
【特許請求の範囲】
【請求項１】
水切りザルと水を溜めるボウルを１体にした食品洗浄用ボウルでキッチンシンクの平坦な部分にボウル本体を置き洗浄のための食品を入れ、水を張る洗浄完了後ボウル本体をシンク床面より離すと排水されるボウル。
【発明の詳細な説明】
【技術分野】
【０００１】
本発明は、米・魚・野菜等食材や麺類の洗浄作業を容易にする為のボウルに関するものである。
【背景技術】
【０００２】
家事における食品の洗浄の頻度は、非常に高くその為の道具の多さもキッチンの作業空間を著しく狭くし煩雑なものにしている。
【０００３】
これらを改善する為にボウルとザルの一体化を図ることで上記の問題の解消を狙う。
【特許文献１】特開平１０−２０１６４８号公報
【発明の開示】
【発明の効果】
【０００４】
キッチンでの食品の洗浄の際の道具の多さは、限られた空間での作業を煩雑なものとしている。このボウルは、ボウルとザルの特徴を兼ね備えることで、道具の数を減らし洗浄と水切りの作業をより効率よくすることが出来る。業務用としても効果が望める。
【実施例１】
【０００５】
図１は、本発明の１実施例の断面図であって、１〜５は、それぞれの特徴を示す。
【産業上の利用可能性】
【０００６】
この発明は、家庭内はもちろん業務用としても適用可能である。
【図面の簡単な説明】
【０００７】
【図１】水切りボウルの実施方法を示した説明図である。（実施例１）
【符号の説明】
【０００８】
１    水切りボウル本体
２    ボウル底部
３    ザル部
４    高台
５    床密着部
【図１】
2006149743.tif 000003
(57)【要約】【課題】図書館、商店などに置いてある。ビニールを雨で濡れた傘を、館内及び店内等を濡らさない為やるが、ビニールが破れたり時間をかけることも多い、手動で傘をビニールに入れている為である。【解決手段】手動ではなく、ビニール袋をバネで自動的に傘を包むスタンドを、構成した。これにより、ビニールの破けるのも防止し、回収することができ、そして時間の節約にもなる。【選択図】  図４
2006149708.tif 000002
【特許請求の範囲】
【請求項１】
雨などにより濡れた傘をビニール袋に入れることにより店内や図書館等の館内や商品が濡れずに済み、効率よくビニール袋で傘を包み込むことができるスタント。
【請求項２】
折り畳みなどにも対応できる傘をビニール入れることが出来るスタント。
【請求項３】
回収箱に傘を差し込めば、ビニールをはずして使い終わった後のビニールが散乱しないように処置がされる
【発明の詳細な説明】
【技術分野】
【０００１】
本発明は、傘の収納で効率化を図る傘立てである。
【背景技術】
【０００２】
従来の商店、図書館等に置いてあるビニール袋は雨傘で店内、館内にある商品、本などを濡らさないために設置されている。
【発明の開示】
【発明が解決しようとする課題】
【０００３】
従来の傘をビニール袋に入れるには手を使って入れるため袋に濡れた状態の傘を入れるのが困難である。ビニールの捨てる量も無駄に増えることになる。
【課題を解決するための手段】
【０００４】
現状を維持しつつ、よりよく傘をビニール袋に収め、使い終わった後のビニール袋の回収率を上げるため、手軽な傘立てを構成すればよい。
【発明の効果】
【０００５】
ビニールの破けるのも防止することができ、なおかつ時間の短縮にもつながり、かつビニールの回収率も上がり、リサイクルがしやすくなる。
【発明を実施するための最良の形態】
【０００６】
傘や折り畳み傘は閉じた状態で行なう。
【図面の簡単な説明】
【０００７】
【図１】本発明の断面図
【図２】本発明の平面図
【図３】本発明の使用状態
【図４】本発明の使用方法
【符号の説明】
【０００８】
ａ、ビニール収納傘立て
ｂ、回収箱
ｃ、ビニール袋
ｄ、傘
ｅ、取り出し口
ｆ、バネ
ｇ、バネで伸びちじみする部分
ｈ、ビニールを包むためのスイッチ
ｉ、ビニールを回収箱に残すための引っかかり
【図１】
2006149708.tif 000003
【図２】
2006149708.tif 000004
【図３】
2006149708.tif 000005
【図４】
2006149708.tif 000006
(57)【要約】      （修正有）【課題】呼出を行った患者又は装置をその音声から特定し通知するナースコールシステムの提供。【解決手段】マイク付き子機を複数台接続し、音声信号を親機又は制御機で受信するとともに解析し、予め録音された音声データと比較して音声信号を発した発音体を特定し、特定された発音体が誰か、又はどの装置かを通知して発報するようにする。【選択図】図１
2006149772.tif 000002
【特許請求の範囲】
【請求項１】
マイク付き子機を複数台接続するナースコールシステムにおいて、
前記マイク付き子機からの音声信号を親機又は制御機で受信するとともに解析し、
予め録音された音声データと比較して前記音声信号を発した発音体を特定し、
特定された前記発音体情報を通知して発報することを特徴とするナースコール装置。
【発明の詳細な説明】
【技術分野】
【０００１】
本発明はナースコールシステムに関する。
【背景技術】
【０００２】
従来、ナースコールシステムは、患者等が看護師等に用が有るとき、呼出釦を押す。  するとナースセンター等に設置されている親機が発報し看護師に知らせる。  看護師はハンドセットを用いて患者と話し、要件など聞くようになっている。また、身動きの出来ない重症な患者の場合、声や、声さえ出せない場合には観察装置の警報を検出して親機から発報するナースコールシステムも考案されている。
【特許文献１】特開平１０−２３４６８０  公報
【発明の開示】
【発明が解決しようとする課題】
【０００３】
ところで、音声や、警報音から誰、又はどの装置からの呼出かが判れば便利である。  そこで本発明は呼出を行った患者又は装置をその音声から特定し通知するナースコールシステムの提供を課題とする。    
【課題を解決するための手段】
【０００４】
マイク付き子機を複数台接続し、音声信号を親機又は制御機で受信するとともに解析し、予め録音された音声データと比較して音声信号を発した発音体を特定し、特定された発音体が誰か、又はどの装置かを通知して発報するようにする。
【発明の効果】
【０００５】
本発明では、呼出した発音体を特定できるので、以下のような行動がとれる。例えば、呼出を行った発音体が心電計なら緊急事態であり、蘇生の準備が必要かもしれない。  また、点滴残量を知らせる装置からの呼出なら、余裕を持って交換用の点滴液を準備することができる。  
【発明を実施するための最良の形態】
【０００６】
図面を用いて本発明の一実施例を説明する。図１はナースコールシステムの例である。表記は無いが本発明では、親機の中に、音声解析手段と幾つかの発音体の音声データを予め記録した音声データ記憶手段を有している。        
【０００７】
図２は上記の音声データ記憶手段に格納されたデータテーブルをイメージしたものである。        
【０００８】
親機は音声信号を検出すると解析を行い、データテーブル上の夫々のデータと比較する。  比較の結果一番類似点が多いものを発音体と特定し、通常の発報を行うと共に特定情報を通知する。        
【０００９】
通知方法は、親機の表示手段に発音体の氏名や機種名を表示するなどが考えられる。    
【図面の簡単な説明】
【００１０】
【図１】・・・ナースコールのシステム例
【図２】・・・データテーブルのイメージ
【図１】
2006149772.tif 000003
【図２】
2006149772.tif 000004
(57)【要約】【課題】災害現場や戦闘地域に仮設される野戦病院等の臨時の医療施設において使用可能なナースコールシステムも提供を課題とする。 【解決手段】複数のナースコール子機の夫々がワイヤーを介して接続されるとともに、例えば軽量小型化され、且つバッテリー駆動可能等、移動可能な形態のナースコール親機と、数メートル間隔で並んだベッドに対応するように、ワイヤーの個々に他のワイヤーと数メートルで夫々異なる長さを与えることにより課題を解決する。【選択図】図２
2006149771.tif 000002
【特許請求の範囲】
【請求項１】
複数のナースコール子機と前記子機の夫々がワイヤーを介して接続されるナースコール親機とからなるナースコールシステムにおいて、
前記親機は予め複数の前記ワイヤーが接続されるとともに移動可能な形態であり、
かつ前記ワイヤーの個々が他のワイヤーと１ｍから１０ｍの間で夫々異なる長さを有することを特徴とするナースコールシステム。
【発明の詳細な説明】
【技術分野】
【０００１】
本発明はナースコールシステムに関する。
【背景技術】
【０００２】
従来、ナースコールシステムは病院等に設置され、親機はナースセンター等の壁に固定されている。  また親機と子機の間は隠蔽配線によって予め設置されているワイヤーを使用する場合が多い。
【特許文献１】特開平10-286239
【発明の開示】
【発明が解決しようとする課題】
【０００３】
ところで、災害現場や戦闘地域に野戦病院等、臨時の医療施設が仮設される場合がある。  このような仮設の医療施設ではナースコールシステムの導入は望むべきものではなかった。そこで本発明は仮設の医療施設でも使用しうるナースコールシステムの提供を課題とする。    
【課題を解決するための手段】
【０００４】
子機が接続され、夫々数メートルで長さの異なるワイヤーを予め移動可能な親機に接続しておくことにより課題を解決する    
【発明の効果】
【０００５】
親機を移動後、ワイヤーを延ばすと数メートル置きに子機が配されるので、仮設の医療施設内で簡易にナースコールシステムを設置できる。  
【発明を実施するための最良の形態】
【０００６】
図１は本発明の親機である。  移動可能なように小型化されている。  また図示はしないが電源はバッテリーの使用が可能である。        
【０００７】
図２は本発明のナースコール設置した例であり、大型テントのような仮設の病室を想定したものである。  病室内は数メートル感覚で仮設ベッドが設置されている。  また病室一角に看護師等が待機する場所を儲けてある。        
【０００８】
本発明ナースコールシステムの設置は、親機を運び看護師待機場所に置く。次にベッドの並びに沿ってワイヤーを伸ばす。        
【０００９】
ワイヤーは夫々数メートルづつ長さが異なるのでベッドの並びに応じて子機の設置が容易である。    
【図面の簡単な説明】
【００１０】
【図１】・・・本発明の親機
【図２】・・・本発明の実施例
【図３】・・・従来のナースコールシステム例
【図３】
2006149771.tif 000003
【図１】
2006149771.tif 000004
【図２】
2006149771.tif 000005
(57)【要約】      （修正有）【課題】ブルーベリーなどの収穫および適果の場合、ひとつずつ手で摘み、収穫籠に入れる作業を改善し、身体への負担を分散させる収穫および摘果補助装置を提供する。【解決手段】取付け手段１，２を首部と手に設けることで袋状に案内手段４を設け、案内手段下部の開口部６を通じ、腰部に取付けた果実収納容器５へ果実を運ぶことで作業効率の上昇、身体への負担を分散させる【選択図】図１
2006149258.tif 000002
【特許請求の範囲】
【請求項１】
果実を摘む作業者のための収穫および摘果作業補助装置であって、摘まれた果実を果実収納容器に案内するための容器の上部に配置される布等の可撓性の材質でシート状に形成された案内手段と、案内手段を作業者に取付けるための取付け手段であって、案内手段の上部が作業者の胸に近い部分から両腕に沿った形で両側に広がる摘果された果実の受口を構成すべく案内手段を作業者に取付けるための取付け手段とを有する装置。
【請求項２】
案内手段が、上部の開口と、上部開口よりも小さな下部の開口とを備えた筒状部材として構成され、下部開口は第２取付け装置によって取付けられる果実収納容器に固定されるか、固定されなければ、下部開口部は果実収納容器内に配置されている、また、取付け手段が、案内手段の上部を作業者に固定するための装置であって、首に取付ける第１取付け装置と、両腕に取付ける第３取付け装置とを有することを特徴とする請求項１記載の収穫および摘果作業補助装置。
【請求項３】
作業者の腰部に装着された果実収納容器から手指にまで及ぶ案内手段先端部までの直線距離より長いことを特徴とする案内手段を有する請求項１又は２記載の収穫および摘果作業補助装置。
【発明の詳細な説明】
【技術分野】
【０００１】
本発明は農作物の収穫作業および摘果作業の省力化に関するものである。
【背景技術】
【０００２】
ブルーベリーをはじめとする果樹の栽培において、摘果作業および収穫作業が労働時間に占める割合は非常に大きく、長時間に及ぶ作業が作業者に与える影響は非常に大きい。アメリカなど海外の大規模農場では大型の機械を導入することで効率化・省力化をはかっているが日本のように小規模な農場においては大型の機械を導入することは困難である。そのため多くの作業者は手のみ、状況に応じて片手にハサミを持ち摘果および収穫作業をおこない、摘果した未熟果や収穫果は手作業で収穫籠やコンテナに収納していた。
【０００３】
従来の収穫作業および摘果補助装置には片手に未熟果や収穫果を収納する管を装着するものがある。
【０００４】
【特許文献１】実全平０４−０６５０２６
【発明の開示】
【発明が解決しようとする課題】
【０００５】
しかしながら、未熟果や収穫果を両手もしくは片手では一度に扱える量が少なくまた、既存の補助装置では収穫した果実を補助装置に入れるまでが困難であり、また果実を収納する方法や腕にかかる負担の大きさ、さらに腕を下に向けたときに果実が落果するという問題がある。
【課題を解決するための手段】
【０００６】
本発明は、このような従来の課題を解決しようとするもので収穫籠まで両手指部から首までにおよぶ案内を設けることにより、両手で摘果および収穫作業を可能とし、且つ案内を広くすることにより果実を案内に入れることが容易になる。また案内を手から腕の第１取付け装置、首部の第２取付け装置、腰部の第３取付け装置の三点で作業者に装着することにより各装着部にかかる負担を軽減し、案内を腰部から手指までの直線距離より長くすることによりたるみ部を設け、かがみ姿勢であっても果実がこぼれることを防止したものである。
【発明の効果】
【０００７】
以上説明したように、請求項１、２及び３に記載した構成を有する本発明の収穫・摘果補助装置を用いることにより、以下のような効果を得ることが出来る。
【０００８】
一つずつ手で摘み、収穫籠に入れる作業が改善されるため、作業効率が上昇する。
【０００９】
また、取付け装置を複数とすることにより身体への負担が分散する。
【発明を実施するための最良の形態】
【００１０】
本発明の実施例について図１を用いて説明する。図１には実施例に関わる平面図を示す。
【００１１】
第１取付け装置は作業者の首部にかけるように装着し、第２取付け装置は作業者の腰に装着する。第三取付け装置は手指部から肘にかけて筒状部で覆うように装着する。このことにより案内手段４が袋状に展開され、果実が開口部６を通して果実収納容器へ収められる。
【産業上の利用可能性】
【００１２】
既に島根大学生物資源科学部附属教育研究センター本庄総合農場内において試作機を用いた検討試験を実施しており、サイズ等の詳細なデータの検討を行っている。現状においてその作業性の向上は確認されており、実用化にむけて検討中である。
【図面の簡単な説明】
【００１３】
【図１】本発明の実施例を示す平面
【符号の説明】
【００１４】
１・・・第1取付け装置
２・・・第２取付け装置
３・・・第３取付け装置
４・・・案内手段
５・・・果実収納容器
６・・・案内手段開口部
【図１】
2006149258.tif 000003
(57)【要約】【課題】本発明は、薬や化粧品などを塗る時に手軽に手を汚さずに衛生的に塗る事ができる塗布用袋を提供する。【解決手段】一方を開口部とする樹脂製フィルム材からなる袋部の内部を収容部として、袋部の前面部に方形状又は楕円形状の窓を設けて、袋部の内側より窓を覆うように不織布又は織布のシート状からなる透過性布体を密着させて、袋部の表面の窓に開閉する蓋を設けて袋部の開口部にジッパーを設けて、収容部に薬剤などを収容して、手を汚さずに衛生的でかつ機能的に薬などを塗布できる事を特徴とする塗布用袋。【選択図】図１
2006149996.tif 000002
【特許請求の範囲】
【請求項１】
一方を開口部とする樹脂製フィルム材からなる袋部の内部を収容部として、袋部の前面部に方形状又は楕円形状の窓を設けて、袋部の内側より窓を覆うように不織布又は織布のシート状からなる透過性布体を密着させて、袋部の表面の窓に開閉する蓋を設けて袋の開口部にジッパーを設けて、収容部に薬剤などを収容して、手を汚さずに衛生的でかつ機能的に薬などを塗布する事を特徴とする塗布用袋。
【請求項２】
袋部表面の中央に複数の小穴を設けた請求項１の塗布用袋。
【請求項３】
袋部に設けた蓋の蓋後端に切取部を設け、蓋は袋部より切離し自在とする請求項１又は請求項２の塗布用袋。
【発明の詳細な説明】
【技術分野】
【０００１】  本発明は、薬や化粧品などを塗る時に手軽に手を汚さずに衛生的に塗る事ができる塗布用袋に、関するものである。
【背景技術】
【０００２】  従来、薬剤、化粧品をガーゼ、ティッシュペーパー、コットンなどに含浸させて患部に塗布していた。
【発明の開示】
【発明が解決しようとする課題】
【０００３】  そのために、次のような問題点があった。
（イ）  薬など塗布する際に手についた場合、都度手洗いをして手間がかかる。
（ロ）  種類の違う塗り薬などを塗布する際、混合する恐れがある。
（ハ）  手、指などに触れて黴菌などの感染の恐れがある。
本発明は、これらの問題点を解決するためになされたものである。
【課題を解決するための手段】
【０００４】  一方を開口部とする樹脂製フィルム材からなる袋部の内部を収容部として、袋部の前面部に方形状又は楕円形状の窓を設けて、袋部の内側より窓を覆うように不織布又は織布のシート状からなる透過性布体を密着させて、袋部の表面の窓に開閉する蓋を設けて袋部の開口部にジッパーを設けて、収容部に薬剤などを収容して、手を汚さずに衛生的でかつ機能的に薬などを塗布できる。以上を特徴とする塗布用袋である。
【発明の効果】
【０００５】  本発明は、薬剤、化粧品などを塗布する際に心配される感染、一度に二種以上使用する時の薬剤の混合、手の汚れなどを防ぎ、衛生的かつ機能的に薬剤、化粧品を塗布する事ができる。
【発明を実施するための最良の形態】
【０００６】  以下、本発明の実施の形態についてする。
（イ）  一方を開口部（２）とする樹脂製フィルム材からなる袋部（１）の内部を収容部（３）とする。
（ロ）  袋部（１）の前面部に方形状又は楕円形状の窓（４）を設ける。
（ハ）  袋部（１）の内側より窓（４）を覆うように不織布又は織布のシート状からなる透過性布体（７）を密着させる。
（ニ）  袋部（１）の表面の窓（４）に開閉する蓋（５）の後端（５ｂ）を袋部（１）に接着又は一体型にして、蓋（５）を設ける。
（ホ）  袋部（１）の開口部（２）にジッパー雌片（６ａ）、ジッパー雄片（６ｂ）を設ける。
（ヘ）  蓋（５）の蓋後端（５ｂ）に切取部（１０）を設け、蓋（５）は袋部（１）より切離し自在とする。
本発明は、以上のような構成よりなっている。
本発明を使用するときは、上記の塗布用袋の開口部（２）にジッパー（６）を開けて薬剤（８）を収容部（３）に入れて開口部（２）のジッパー雌片（６ａ）、ジッパー雄片（６ｂ）を一体的に押付けて閉じて、収容部（３）に入れた薬剤（８）を透過性布体（７）に浸透させて、袋部（１）表面の蓋先端（５ａ）をめくり片手の指で挟んで、患部などに衛生的に薬剤（８）を塗る事が出来る塗布用具である。
【実施例１】
【０００７】  図４に示すように、一方を開口部（２）とする樹脂製フィルム材からなる袋部（１）の内部を収容部（３）として、袋部（１）の表面の中央に複数の小穴（９）を設け、袋部（１）表面の複数の小穴（９）を覆うように開閉式の蓋（５）を設ける。開口部（２）にジッパー（６）を設け、収容部（３）に薬剤（８）などを収容して、薬剤（８）を透過させて、患部などに薬剤（８）を塗布する事が出来る。
【図面の簡単な説明】
【０００８】
【図１】  本発明の斜視図
【図２】  本発明の断面図
【図３】  本発明の使用状態を示す斜視図
【図４】  本発明の他の実施例を示す斜視図
【符号の説明】
【０００９】    １    袋部
２    開口部
３    収容部
４    窓
５    蓋
５ａ  蓋先端
５ｂ  蓋後端
６    ジッパー
６ａ  ジッパー雌片
６ｂ  ジッパー雄片
７    透過性布体
８    薬剤
９    小穴
１０    切取部
【図１】
2006149996.tif 000003
【図２】
2006149996.tif 000004
【図３】
2006149996.tif 000005
【図４】
2006149996.tif 000006
(57)【要約】【課題】  受信回路ユニットを別体として着脱自在とし、ひとつの送信機で複数種類のラジオコントロール玩具を駆動制御できるように構成したラジオコントロール玩具用受信回路ユニットを得る。【解決手段】  駆動機構を搭載する複数種類のラジオコントロール玩具にそれぞれ受信回路ユニット装着部を設け、該受信回路ユニット装着部に対してひとつの受信回路ユニットを互換可能に着脱自在とし、ひとつの送信機で複数種類のラジオコントロール玩具を駆動制御できるように構成したラジオコントロール玩具用受信回路ユニットを提供する。【選択図】  図１
2006149997.tif 000002
【特許請求の範囲】
【請求項１】
駆動機構を搭載する複数種類のラジオコントロール玩具にそれぞれ受信回路ユニット装着部を設け、該受信回路ユニット装着部に対してひとつの受信回路ユニットを互換可能に着脱自在とし、ひとつの送信機で複数種類のラジオコントロール玩具を、駆動制御できるように構成したことを特徴とするラジオコントロール玩具用受信回路ユニット。
【発明の詳細な説明】
【技術分野】
【０００１】  本発明はラジオコントロール玩具用受信回路ユニットに関し、特に受信回路ユニットを複数種類のラジオコントロール玩具に対して装着自在となし、１つの送信機とひとつの受信回路ユニットを使用して複数種類のラジオコントロール玩具を駆動できるように構成したラジオコントロール玩具用受信回路ユニットに関する。
【背景技術】
【０００２】  従来、ラジオコントロール玩具は送信機と走行駆動体やロボット等がセットで販売されていたが、駆動体等を単品で販売する例が生じている。これは操縦者がひとりならば送信機はひとつしか必要ないことから、ひとつの送信機で複数種類の駆動体を操縦したいというユーザーのコストパフォーマンス要求の高まりを象徴しているものである。【０００３】  しかしながら一般商品において、未だに駆動体の製造コストの中心をなす受信回路部については、駆動体の動力部分と完全に接続状態で組み込まれているので、駆動体のコストは高価な状態のままであり、下記に開示する組立て方式の先願公報においても、受信機構は駆動体内に完全に接続されて組み立てられ、受信回路ユニットを別体として互換性を持たせるものではなかった。【０００４】
【実用新案文献１】
実公平５−３８７９６号公報【特許文献２】  特公平５−６９０００号公報
【０００５】    しかしながら、前記せる実公平５−３８７９６号公報では、比較的低年齢層を対象として組立てを容易にせしむる組み立て式車体に関するもので、特に受信回路ユニットを別体として互換性を持たせるものではなかった。
【０００６】    また、前記せる特公平５−６９０００号公報では、製品を自分で組み立て完成する喜びを享受することを目的とし、そのため玩具本体の部品組み立てを従来よりも一層簡単にできるようにするものであって、これも特に受信回路ユニットを別体として互換性を持たせるものではなかった。
【発明の開示】
【発明が解決しようとする課題】
【０００７】  一般にラジオコントロール玩具においては、送信機と受信回路部が高価である。そのためユーザーは送信機と受信回路部を１セット入手するだけで、あとはどの駆動体に対してもその受信回路を簡単に取り付けることが可能ならば、受信回路を内臓していない走行玩具やロボットのような安価な駆動体を購入してゆくだけで、格段に遊びの幅が拡大する。
【課題を解決するための手段】
【０００８】    本発明は、前記せるような従来の課題を解決するために鋭意研究の結果、発明されたものであり、駆動機構を搭載する複数種類のラジオコントロール玩具にそれぞれ受信回路ユニット装着部を設け、該受信回路ユニット装着部に対してひとつの受信回路ユニットを互換可能に着脱自在とし、ひとつの送信機で複数種類のラジオコントロール玩具を駆動制御できるように構成したラジオコントロール玩具用受信回路ユニットを提供する。
【発明の効果】
【０００９】    本発明によれば、駆動機構を搭載する複数種類のラジオコントロール玩具にそれぞれ受信回路ユニット装着部を設け、該受信回路ユニット装着部に対してひとつの受信回路ユニットを互換可能に着脱自在とし、ひとつの送信機で複数種類のラジオコントロール玩具を駆動制御できるように構成しているので、ユーザーが送信機と受信回路ユニットを１セットを用いて複数種類の駆動体を操縦することができ、遊びの幅が極めて拡大される効果がある。
【発明を実施するための最良の形態】
【００１０】  以下、図面に基づいて、本発明を実施するための最良の形態を具体的に説明する。
図面に於いて、図１は本発明のラジオコントロール玩具用受信回路ユニットをラジオコントロール走行玩具に応用した斜視図である。図２は送信機の斜視図である。図３は本発明のラジオコントロール玩具用受信回路ユニットを他の車種のラジオコントロール走行玩具に応用した斜視図である。【００１１】  図１に示すように、車体１には受信回路ユニット装着部２３が設けられており、該受信回路ユニット装着部２３に受信回路ユニット２が装着される。受信回路ユニット２には受信回路基板２２が組み込まれており、受信回路ユニット２が装着された時点で車体１に取付けられた受信用アンテナ２１及び１駆動機構を制御する駆動回路（図示せず）に電気的に接続され、図２に示す送信機３の送信回路基板３２によって送信用アンテナ３１からの電波を受け、車体１を操縦することができる。【００１２】  図３に示すように、図１とは異なる車体４に前記と同様に、図２の送信回路基板３２によって送信機３の送信用アンテナ３１からの電波を受け、異なる車種の車体４を操縦することができる。実施例ではラジオコントロール走行車両を例示して説明しているが、駆動体はラジオコントロール走行車両に限定されることなく、ロボットや人形等の玩具駆動体にも応用できることは当然ながら本発明の技術内容に属するものである。【００１３】  すなわち、駆動機構を搭載する複数種類のラジオコントロール玩具にそれぞれ受信回路ユニット装着部を設け、該受信回路ユニット装着部に対してひとつの受信回路ユニットを互換可能に着脱自在とし、ひとつの送信機で複数種類のラジオコントロール玩具を駆動制御できるように構成したラジオコントロール玩具用受信回路ユニットを提供するものであり、実施例で示した車体１乃至車体４や発信機３にも当然ながらバッテリー（図示せず）が搭載されている。
【図面の簡単な説明】
【００１４】
【図１】  本発明のラジオコントロール玩具用受信回路ユニットをラジオコントロール走行玩具に応用した斜視図である。
【図２】  送信機の斜視図である。
【図３】  本発明のラジオコントロール玩具用受信回路ユニットを他の車種のラジオコントロール走行玩具に応用した斜視図である。
【符号の説明】
【００１５】  １．  車体
２．  受信回路ユニット
２１．  受信用アンテナ
２２．  受信回路基板
２３．  受信回路ユニット装着部
３．  送信機
３１．  送信用アンテナ
３２．  送信回路基板
４．  車体
【図１】
2006149997.tif 000003
【図２】
2006149997.tif 000004
【図３】
2006149997.tif 000005
(57)【要約】【目的】  高齢者、病弱者に負担を掛けない背筋力測定装置の提供【構成】  左右の足を乗せるステップと、椅子を取り付けた支柱との間隔および、測定装置を引くための握り部の位置を調節できるようにして、背筋力を測定するとき、脊柱と大腿とのなす角が、およそ１３０°となるようにすることによって披験者の負担を軽減するように構成された背筋力測定装置。【選択図】  図１
2006149994.tif 000002
【特許請求の範囲】
【請求項１】
床面に置かれたフレームの一端に、左右の足を乗せるステップを設け、他端に上部に椅子を取り付けた支柱を設け、ステップの近傍から椅子の方向に向かって長さを調節できる部材を備え、該部材の中間部に部材に働く伸張力を計測できる測定装置を設け、該部材の先端部に両手で握ることのできる握りを設ける。ステップまたは椅子の支柱はフレームに沿って褶動させて、ステップと椅子の間の距離を自在に変更できるようにし、椅子に腰を掛け、ステップに膝を伸ばした状態で足を置いた披験者が、該部材の先端の握り部を肘を伸ばして握り、力一杯引いて背筋力を測定した時、披験者の脊柱と大腿とのなす角が、およそ１３０°となるように構成することができる背筋力測定装置。
【発明の詳細な説明】
【技術分野】
【０００１】  本発明は、特に高齢者のための背筋力測定装置に関する。
【背景技術】
【０００２】  従来の背筋力測定装置は、披験者が立ったまま測定装置の握りを引き上げることによって背筋力を測定するものであった。
【発明の開示】
【発明が解決しようとする課題】
【０００３】  従来の背筋力測定装置は、特に高齢者の披験者の背骨や腰に大きな負担となり、また測定による傷害の危険を伴っていた。
【課題を解決するための手段】
【０００４】  特に高齢者の披験者が背筋力を測定するとき、背骨や腰に大きな負担とならないためには、披験者の脊柱と大腿とのなす角が、およそ１３０°となるようにすることがよいとされる。このため、床面に置かれたフレームの一端に、左右の足を乗せるステップを設け、他端に上部に椅子を取り付けた支柱を設け、ステップの近傍から椅子の方向に向かって長さを調節できる部材を伸ばし、該部材の中間部に部材に働く伸張力を計測できる測定装置を設け、該部材の一端に両手で握ることのできる握り部を設ける。【０００５】  ステップ部はフレームに沿って褶動させて、ステップと椅子の間の距離を自在に変更できるようにし、椅子に腰を掛け、ステップに膝を伸ばした状態で足を置いた披験者が、該部材の先端の握り部を肘を伸ばして握り、力一杯引いて背筋力を測定した時、披験者の脊柱と大腿とのなす角がおよそ１３０°となるように構成できるようにする。
【発明の効果】
【０００６】  高齢者あるいは病弱者が、リハビリの効果などを測定するために背筋力を測定するとき、従来は被験者が立ったまま測定装置の握りを引き上げることによって背筋力を測定するため、背骨や腰に大きな負担となり、測定による傷害の危険を伴っていた。本発明は、披験者者を椅子に腰を掛ける姿勢にして、脊柱と大腿とのなす角をおよそ１３０°となるように装置を調節することによって、背筋力の測定に際して負担や障害を防ぐ効果を有する。
【発明を実施するための最良の形態】
【０００７】  多様な体型や身長を有する披験者が背筋力を測定するとき、脊柱と大腿とのなす角がおよそ１３０°となるようにするために、椅子とステップの距離、および測定装置を引くための握りの位置を、披験者の体型や身長に合わせて自在に調節できるようにする機構が設けられる必要がある。
【実施例】
【０００８】  図１は、本発明の背筋力測定装置の使用状態における側面図である。【０００９】  床面に置かれたフレーム１の前端部の近傍に、披験者の左右の足を乗せるステップ２および、長さを調節できるロック装置３と背筋力測定装置４ならびに握り部５を取り付けた部材６を回転自在に取り付けた前部ブロック７を設け、フレーム１の後端部の近傍に、上部に椅子８を取り付けた支柱９を取り付けた後部ブロック１０を設ける。なお部材６は鎖でもよい。【００１０】  前部ブロック７は、後部ブロック１０との間隔を調節できるように、フレーム１に対して褶動および固定できるためのガイド部１１ならびに固定装置１２を有する。なお褶動および固定できるためのガイド部１１ならびに固定装置１２は、後部ブロック１０に設けてもよい。【００１１】  椅子８に腰を掛け、ステップ２に膝を伸ばした状態で足を置いた披験者１３が、部材６の先端の握り部５を肘を伸ばして握り、力一杯引いて背筋力を測定した時、前部ブロック７および後部ブロック１０の間隔ならびに部材６の長さを調節して、披験者１３の脊柱と大腿とのなす角が、およそ１３０°となるようにする。
【図面の簡単な説明】
【００１２】
【図１】  本発明の背筋力測定装置の使用状態における側面図である。
【符号の説明】
【００１３】（１）  フレーム
（２）  ステップ
（３）  部材６の長さを調節できるロック装置
（４）  背筋力測定装置
（５）  握り部
（６）  背筋力測定装置４および握り部５を有する部材
（７）  前部ブロック
（８）  椅子
（９）  上部に椅子８を取り付けた支柱
（１０）  後部ブロック
（１１）  褶動できるためのガイド部
（１２）  褶動を固定できるための固定装置
（１３）  被験者
【図１】
2006149994.tif 000003
(57)【要約】【課題】    手指の清拭に際し、皮膚に対する安全性を確保し、かつ充分な抗菌・防カビ効果を持った紙おしぼり・ウェットティシューを製造する。【解決手段】  本発明は、配合成分およびその配合量を化粧品基準に準ずることにより皮膚に対する安全性を確保し、複数成分の配合による相乗効果により充分な抗菌・防カビ効果を付与する。【特許請求の範囲】
【請求項１】
抗菌・防カビ効果を有するおしぼり・ウェットティシューの製造法
【請求項２】
化粧品基準に記載されている第四級アンモニウム塩で、塩化ベンザルコニウム、塩化ベンゾトニウム、塩化セチルトリメチルアンモニウム、塩化ステアリルトリメチルアンモニウム、塩化セチルピリジニウムのうち、二種以上を配合してなる、抗菌・防カビ効果を有するおしぼり・ウェットティシューの製造法
【請求項３】
化粧品基準に記載されているパラベン類で、パラオキシ安息香酸メチル、パラオキシ安息香酸エチル、パラオキシ安息香酸プロピル、パラオキシ安息香酸ブチルのうち、少なくとも一種を配合してなる、抗菌・防カビ効果を有するおしぼり・ウェットティシューの製造法。
【発明の詳細な説明】
【技術分野】
【０００１】  本発明は、紙または不織布等のおしぼりまたはウェットティシュー用の原反に第四級アンモニウム塩、パラベン類などの配合製剤の抗菌剤を水希釈して処理する、ウェットティシュー製造法である。
【背景技術】
【０００２】  紙おしぼりやウェットティシューは水を含むという性質上、微生物（菌・真菌類）の繁殖の危険性がある。このため抗菌剤や防カビ剤が配合されている。しかし、その配合成分や配合量において化粧品における規制の範囲外のものを使用していることがあり、抗菌・防カビ効果は十分でも安全性に疑問があった【０００３】  紙おしぼりやウェットティシューはその用途がお手拭きなど、人の肌に直接触れるものであるから、その安全性は化粧品に準拠したものが望ましい。
【発明の開示】
【発明が解決しようとする課題】
【０００４】  本発明では、紙おしぼりやウェットティシューへの加工液の配合成分及びその配合量について化粧品基準に準拠して安全性を確保し、かつ充分な抗菌・防カビ作用を付与することを目的とする。
【課題を解決するための手段】
【０００５】  上記の課題を解決する為、化粧品基準収載品のうち複数成分を使用することにより、その相乗効果をもって、紙おしぼり・ウェットティシュー保存時の菌・カビの増殖を抑制する配合を発見し、本発明を完成した。
【発明の効果】
【０００６】  化粧品基準の準じた場合、単一成分では弱かった紙おしぼり・ウェットティシュー保存時の菌・カビの増殖を抑制する効果が、複数成分の配合による相乗効果によって十分な効果をもたらした。
【課題を解決するための最良の形態】
【０００７】  本発明の配合組成物は塩化ベンザルコニウム、塩化セチルトリメチルアンモニウム、パラオキシ安息香酸メチルを含有する。その配合量は化粧品基準におけるポジティブリストに準拠し、塩化ベンザルコニウム０．０１〜０．０５重量％（０．０５重量％を超えないこと）、塩化セチルトリメチルアンモニウム０．１０〜１．００重量％（１．００重量％を超えないこと）、パラオキシ安息香酸メチル０．１０〜１．００重量％（１．００重量％を超えないこと）含有することが望ましい。
【０００８】  加工方法は加工する紙ならびに不織布等（以下、原反と称する）の重量に対し、１５０〜２５０％の加工液をスプレーまたは含浸等の方法で加工する。ただし加工する原反によって適切な加工量は異なる。
【０００９】  本発明の組成物以外に香料等の成分を配合することもできる。
【００１０】  本発明の紙おしぼり・ウェットティシュー加工組成物は二種以上の第四級アンモニウム塩とパラベン類を配合した組成物で、手指の清拭用として使用するものである。
【実施例】
【００１１】  以下、実施例により詳細説明する。しかし、本発明はこれらの実施例に限定されるものではない。【００１２】  （実施例１）本発明に使用する第四級アンモニウム塩、パラベン類の配合例を表１に記す。【００１３】  原反（ここでは紙を使用）に表１に記した配合薬剤を原反重量に対し２００％ムラなく含浸により処理した。この紙おしぼりについて抗菌・防カビ試験を行なった。比較として水のみを加工したものを試験した。この試験の結果は、表２に記した。【００１４】（試験方法）
ＪＩＳ  Ｌ−１９０２繊維製品の抗菌性試験に準ずる。
ＪＩＳ  Ｚ−２９１１カビ抵抗性試験に準ずる。
供試細菌
・Ｅｓｃｈｅｒｉｃｈｉａ  ｃｏｌｉ  ＩＦＯ３３０  （大腸菌）
・ｓｔａｐｈｙｌｏｃｏｃｃｕｓ  ａｕｒｅｕｓ  ＡＴＣＣ  ６５３８Ｐ  （ブドウ球菌）
供試カビ
ＪＩＳ  Ｚ−２９１１カビ抵抗性試験  繊維試験指定繊維カビ
▲１▼．Ａｓｐｅｒｇｉｌｌｕｓ  ｎｉｇｅｒ  ＦＥＲＭ  Ｓ−１
▲２▼．Ｐｅｎｉｃｉｌｌｉｕｍ  ｃｉｔｒｉｎｕｍ  ＦＥＲＭ  Ｓ−５
Ｃｈａｅｔｏｍｉｕｍ  ｇｌｏｂｏｓｕｍ  ＦＥＲＭ  Ｓ−１１
Ｍｙｒｏｔｈｅｃｉｕｍ  ｖｅｒｒｕｃａｒｉａ  ＦＥＲＭ  Ｓ−１３
以上３種の混合【００１５】  判定方法
細菌・・・効果あり  （−）
効果なし  （＋）
カビ・・・ＪＩＳ  Ｚ−２９１１  カビ抵抗性試験  表示方法による
０・・・試料上にカビの発育なし
右側の数値は発育阻止ｍｍ数
１・・・試料上のカビの発育面積が全体の１／３以下
２・・・試料上のカビの発育面積が全体の１／３以上【００１６】
【表１】
2006149989.tif 000002
【００１７】使用薬剤
化合物Ａ；塩化ベンザルコニウム（日本油脂（株）カチオンＭ２−１００）
化合物Ｂ；塩化セチルトリメチルアンモニウム（日光ケミカルズ（株）ＣＡ−２３５０）
化合物Ｃ；塩化セチルピリジニウム（メルク・ジャパン（株））
化合物Ｄ；プロピレングリコール（昭和電工（株））
化合物Ｅ；パラオキシ安息香酸メチル（上野製薬（株））【００１８】
【表２】
2006149989.tif 000003
【産業上の利用可能性】
【００１９】  以上のごとく、第四級アンモニウム塩を２種とパラオキシ安息香酸メチルを加工した紙おしぼりは、優れた抗菌・防カビ効果を発揮する。